(57)【要約】【課題】外壁材及び仕切り材とスリーブ周囲との間に生じる隙間を埋めることによって、室内の暖かい空気が通気層に流出することを防止し、快適な建屋環境を形成すると共に、建屋の耐久性を高めることができる建屋壁体への配管構造を提供する。【解決手段】仕切り材３、断熱材７及び内壁材４には同径の小径スリーブ穴８が同軸に連穿してあり、外壁材２には該小径スリーブ穴８よりも径が大きい大径スリーブ穴９が小径スリーブ穴８と同軸に穿設してある。そして、小径スリーブ穴８から大径スリーブ穴９にかけて小径スリーブ穴８と同径のスリーブ１０を挿設し、スリーブ１０の外周面と外壁材２との間に生じる大径隙間１１からスリーブ１０の外周面と仕切り材３との間に生じる小径隙間１２にかけて発泡型断熱材１３を充填し埋めることにより閉塞している。【選択図】図１
0003122546.tif 000002
【実用新案登録請求の範囲】
【請求項１】
外壁材、仕切り材及び内壁材を間隔を置いて配設し、該外壁材と仕切り材との間は通気層、仕切り材と内壁材との間は断熱層としてなる建屋壁体への配管構造であって、前記内壁材と仕切り材に同径の小径スリーブ穴を同軸に穿設し、前記外壁材に該小径スリーブ穴より大径の大径スリーブ穴を該小径スリーブ穴と同軸に穿設し、外径が前記小径スリーブ穴の穴径と略同径の配管用スリーブを前記小径スリーブ穴から大径スリーブ穴にかけて挿設し、該配管用スリーブの外周面と外壁材との大径隙間から配管用スリーブの外周面と仕切り材との小径隙間までを発泡型断熱材で閉塞してなる建屋壁体への配管構造。
【考案の詳細な説明】
【技術分野】
【０００１】
本考案は、二重壁構造の既存構築物に配管スリーブを組付ける場合に適した建屋壁体への配管構造に関する。
【背景技術】
【０００２】
近年、建屋の暖房のために床、壁、天井等を気密構造にし、屋外に室内の暖かい空気が流出するのを防止して熱損失を減らすことが求められている。そのためには、建屋の壁等にスリーブを設ける際にスリーブと壁との間に生じる隙間を塞ぐ必要がある。図６に従来技術に係る配管構造を示す。図６において、３１は建屋の壁を示し、該壁３１は外壁材３２、仕切り材３３、内壁材３４から構成してあり、該外壁材３２と該仕切り材３３の間には通気層３５が、仕切り材３３と内壁材３４との間には断熱層３６が夫々形成してあり、該断熱層３６には断熱材３７が設けてある。
【０００３】
そして、上述した構成の壁３１にエアコン用配管を貫通して設ける場合は、外壁材３２、仕切り材３３、内壁材３４、断熱材３７にそれぞれ同径のスリーブ穴３８を同軸に穿設し、該スリーブ穴３８にスリーブ３９を外壁材３２から内壁材３４にかけて挿設し、外壁材３２とスリーブ３９の外周面との間に生ずる隙間４０を屋外側からパテ４１等で埋めることにより塞いでいる。
【考案の開示】
【考案が解決しようとする課題】
【０００４】
上述の従来の配管構造においては、外壁材３２とスリーブ３９の外周面との隙間４０はパテ４１等で塞ぐことができるが、仕切り材３３とスリーブ３９の外周面との隙間４２は塞ぐことができないため、該隙間４２を通って室内及び断熱層３６の暖かい空気が通気層３５に流出してしまい、室温が低下することとなる。また、通気層３５の冷たい空気と室内の暖かい空気が接することにより通気層３５内部に結露が発生し、外壁材を劣化させる原因となっている。そこで、仕切り材３３とスリーブ３９との隙間４２を前もって塞ぐために、一度張った外壁材３２をはがして、該隙間４２をシール材等で埋めてから再び外壁材３２を張り直すという施工方法があるが費用がかかり経済的ではない。
【０００５】
本考案は上述した従来技術の欠点に鑑みなされたもので、スリーブ周囲に生じる隙間を埋めることによって、室内の暖かい空気が通気層に流出することによる室温の低下及び室内の暖かい空気と通気層内の冷たい空気が接することによる通気層内の結露の発生を防止し、快適な建屋環境を形成すると共に、建屋の耐久性を高めることができる建屋壁体への配管構造を提供することを目的とする。
【課題を解決するための手段】
【０００６】
上記課題を解決するために構成した本考案の手段は、外壁材、仕切り材及び内壁材を間隔を置いて配設し、該外壁材と仕切り材との間は通気層、仕切り材と内壁材との間は断熱層としてなる建屋壁体への配管構造であって、前記内壁材と仕切り材に同径の小径スリーブ穴を同軸に穿設し、前記外壁材に該小径スリーブ穴より大径の大径スリーブ穴を該小径スリーブ穴と同軸に穿設し、外径が前記小径スリーブ穴の穴径と略同径の配管用スリーブを前記小径スリーブ穴から大径スリーブ穴にかけて挿設し、該配管用スリーブの外周面と外壁材との大径隙間から配管用スリーブの外周面と仕切り材との小径隙間までを発泡型断熱材で閉塞したものからなる。
【考案の効果】
【０００７】
本考案は、上述の構成とすることにより以下の諸効果を奏する。
（１）仕切り材とスリーブ周囲との隙間を塞ぎ、建物の気密性が高まることにより、室内及び断熱層の暖かい空気がスリーブ周囲の隙間を通じて通気層に流れ出すことによる室内温度の低下を防止でき、建屋を快適な状態にすることができる。
（２）仕切り材とスリーブ周囲との隙間を塞ぐことにより、通気層の冷たい空気と室内の暖かい空気が接して通気層内部に結露が発生することを抑え、結露による外壁材・構造材の耐久性の低下を未然に防止することができる。
（３）従来の施工方法に比べコストを安価に抑えることができ、また工期を短縮することができるため、経済的であり利用者の費用負担の軽減を図ることができる。
【考案を実施するための最良の形態】
【０００８】
以下、本考案の実施の形態を図面に基き説明する。図１において、１は建屋の壁を示し、該壁１は外壁材２、仕切り材３、内壁材４により構成してある。該外壁材２と該仕切り材３との間には通気層５が、該仕切り材３と該内壁材４との間には断熱層６が夫々形成してあり、該断熱層６には断熱材７が充填してある。
【０００９】
該仕切り材３、断熱材７及び内壁材４には同径の小径スリーブ穴８が同軸に連穿してあり、外壁材２には該小径スリーブ穴８よりも径が大きい大径スリーブ穴９が小径スリーブ穴８と同軸に穿設してある。そして、該小径スリーブ穴８から大径スリーブ穴９にかけて該小径スリーブ穴８と同径のスリーブ１０を挿設し、該スリーブ１０の外周面と外壁材２との間に生じる大径隙間１１からスリーブ１０の外周面と仕切り材３との間に生じる小径隙間１２にかけて発泡型断熱材１３を充填し埋めることにより、大径隙間１１及び小径隙間１２を塞いでいる。
【００１０】
本実施の形態は上述の構成からなっており、次にその配管工法について説明する。その第1工程は図２に示すように、前記壁１の内壁材４に室内側からスリーブ１０と同径の小径ホルソー１４の先端錐部１４Ａを当て、その位置を固定する。第２工程は図３に示すように、該小径ホルソー１４によって内壁材４、断熱材７、仕切り材３に同径の小径スリーブ穴８を同軸に連穿する。このとき、該小径ホルソー１４は外壁材２の手前で停止させ、外壁材２には小径スリーブ穴は穿設せず、小径ホルソー１４の先端部分１４Ａによりセンター穴１５を穿設する。
【００１１】
次に、第３工程は図４に示すように、該小径ホルソー１４を抜いた後、該小径ホルソー１４よりも径が大きい大径ホルソー１６を用い、該大径ホルソー１６の先端錐部１６Ａを屋外側から外壁材２に穿設したセンター穴１５に合わせ、大径ホルソー１６の位置を固定する。そして、第４工程は図５に示すように、該大径ホルソー１６で外壁材２のみに前記小径スリーブ穴８よりも径の大きい大径スリーブ穴９を小径スリーブ穴８と同軸になるよう穿設する。そして、該大径ホルソー１６を抜いた後、仕切り材３、断熱材７及び内壁材４の小径スリーブ穴８から外壁材２の大径スリーブ穴９にかけてスリーブ１０を室内側から挿設する。なお、本実施の形態では小径ホルソー１４と大径ホルソー１６の直径の差は１５ｍｍとしており、小径ホルソー１４は直径６５ｍｍ、大径ホルソー１６は直径８０ｍｍのものを用いている。
【００１２】
ここで、該スリーブ１０は小径ホルソー１４と同径のものを用いても、挿通するために多少のクリアランスを設けるから、スリーブ１０の周囲には仕切り材３、断熱材７、内壁材４との間に僅かに小径隙間１２が生じてしまう。また、外壁材２に穿設した大径スリーブ穴９は小径スリーブ穴８に比べて径が大きくなるよう形成してあり、外壁材２とスリーブ１０の外周面との間には前記小径隙間１２より径が大きい大径隙間１１が形成される。なお、本実施の形態では小径ホルソー１４は直径６５ｍｍ、大径ホルソー１６は直径８０ｍｍのものを用いているため、該大径隙間１１の幅は７.５ｍｍとなる。そして、該大径隙間１１の幅が広いことを利用して、仕切り材３とスリーブ１０の外周面との間の小径隙間１２まで届くように発泡型の断熱材１３を大径隙間１１から注入して閉塞し、さらに大径隙間１１を閉塞することにより、大径隙間１１だけでなく小径隙間１２も塞ぐことができる。これにより、建屋の気密性を高め、該小径隙間１２から室内の空気が通気層５に流れ出ることを防止することができる。
【図面の簡単な説明】
【００１３】
【図１】図１乃至図５は本考案の実施の形態に係り、図１は配管構造を示す建屋の壁の縦断面図である。
【図２】配管構造の工法の第1工程を示す説明図である。
【図３】工法の第２工程を示す説明図である。
【図４】工法の第３工程を示す説明図である。
【図５】工法の第４工程を示す説明図である。
【図６】図６は従来技術に係り、配管構造を示す建屋の壁の縦断面図である。
【符号の説明】
【００１４】
１    壁
２    外壁材
３    仕切り材
４    内壁材
５    通気層
６    断熱層
８    小径スリーブ穴
９    大径スリーブ穴
１０  スリーブ
１１  大径隙間
１２  小径隙間
１３  発泡型断熱材
【図１】
0003122546.tif 000003
【図２】
0003122546.tif 000004
【図３】
0003122546.tif 000005
【図４】
0003122546.tif 000006
【図５】
0003122546.tif 000007
【図６】
0003122546.tif 000008